(57)【要約】【課題】通知が必要な場合のみ対象者の状態を通知する。【解決手段】データ処理装置は、他のデータ処理装置と通信し、前記他のデータ処理装置が送信するデータを受信する通信手段と、前記他のデータ処理装置と一定距離以上離れているか否かを判別する（Ｓ１）制御手段と、前記制御手段により前記他のデータ処理装置と一定距離以上離れていると判別した場合、前記通信手段により受信した前記データに基づく情報を通知する（Ｓ３）通知手段と、を備える。【選択図】図３
2017049909.tif 000002
【特許請求の範囲】
【請求項１】
他のデータ処理装置と通信し、前記他のデータ処理装置が送信するデータを受信する通信手段と、
前記他のデータ処理装置と一定距離以上離れているか否かを判別する制御手段と、
前記制御手段により前記他のデータ処理装置と一定距離以上離れていると判別した場合、前記通信手段により取得した前記データに基づく情報を通知する通知手段と、
を備えることを特徴とするデータ処理装置。
【請求項２】
前記通知手段は、前記制御手段により前記他のデータ処理装置と一定距離以上離れていないと判別した場合、前記データに基づく情報の通知を停止することを特徴とする請求項１に記載のデータ処理装置。
【請求項３】
前記他のデータ処理装置が送信するデータは、対象物の状態を示すデータであり、
前記通知手段は、前記対象物の状態を示すデータに基づいて、前記対象物の状態を通知することを特徴とする請求項１又は２に記載のデータ処理装置。
【請求項４】
対象物の状態を示すデータを取得する取得手段と、
他のデータ処理装置と通信する通信手段と、
前記他のデータ処理装置と一定距離以上離れているか否かを判別する制御手段と、を備え、
前記通信手段は、前記制御手段により前記他のデータ処理装置と一定距離以上離れていると判別した場合、前記取得手段により取得した前記対象物の状態を示すデータを前記他のデータ処理装置に送信することを特徴とするデータ処理装置。
【請求項５】
前記通信手段は、前記制御手段により前記他のデータ処理装置と一定距離以上離れていないと判別した場合、前記他のデータ処理装置への前記対象物の状態を示すデータの送信を停止することを特徴とする請求項４に記載のデータ処理装置。
【請求項６】
前記取得手段は、前記対象物の状態を検出して、その検出結果であるセンサーデータを前記対象物の状態を示すデータとして取得することを特徴とする請求項４又は５に記載のデータ処理装置。
【請求項７】
前記取得手段は、前記センサーデータを一定間隔で取得し、
前記通信手段は、前記取得手段により前記センサーデータを取得し、かつ前記制御手段により前記他のデータ処理装置と一定距離以上離れていると判別した場合に、前記センサーデータの送信を行うことを特徴とする請求項６に記載のデータ処理装置。
【請求項８】
前記取得手段は、前記対象物の動きを検出し、
前記通信手段は、前記取得手段により前記対象物の動きを検出し、かつ前記制御手段により前記他のデータ処理装置と一定距離以上離れていると判別した場合に、前記センサーデータの送信を行うことを特徴とする請求項６又は７に記載のデータ処理装置。
【請求項９】
近距離型の無線通信手段を備え、
前記制御手段は、前記無線通信手段により前記他のデータ処理装置と近距離型の無線通信が可能な否かによって、前記他のデータ処理装置と一定距離以上離れているか否かを判別することを特徴とする請求項１〜８のいずれか一項に記載のデータ処理装置。
【請求項１０】
前記通信手段は、前記他のデータ処理装置と、ネットワークを経由して通信することを特徴とする請求項１〜９のいずれか一項に記載のデータ処理装置。
【請求項１１】
他のデータ処理装置と通信し、前記他のデータ処理装置が送信するデータを受信するステップと、
前記他のデータ処理装置と一定距離以上離れているか否かを判別するステップと、
前記他のデータ処理装置と一定距離以上離れていると判別した場合、受信した前記データに基づく情報を通知するステップと、
を含むことを特徴とする通知方法。
【請求項１２】
対象物の状態を示すデータを取得するステップと、
他のデータ処理装置と一定距離以上離れているか否かを判別するステップと、
前記他のデータ処理装置と一定距離以上離れていると判別した場合、取得した前記対象物の状態を示すデータを前記他のデータ処理装置に送信するステップと、
を含むことを特徴とするデータ送信方法。
【請求項１３】
コンピュータに、
他のデータ処理装置と通信し、前記他のデータ処理装置が送信するデータを受信するステップと、
前記他のデータ処理装置と一定距離以上離れているか否かを判別するステップと、
前記他のデータ処理装置と一定距離以上離れていると判別した場合、受信した前記データに基づく情報を通知するステップと、
を実行させるためのプログラム。
【請求項１４】
コンピュータに、
対象物の状態を示すデータを取得するステップと、
他のデータ処理装置と一定距離以上離れているか否かを判別するステップと、
前記他のデータ処理装置と一定距離以上離れていると判別した場合、取得した前記対象物の状態を示すデータを前記他のデータ処理装置に送信するステップと、
を実行させるためのプログラム。
【発明の詳細な説明】
【技術分野】
【０００１】
本発明は、データ処理装置、通知方法、データ送信方法及びプログラムに関する。
【背景技術】
【０００２】
従来、ペットや高齢者等の見守りが必要な対象者にセンサーを装着し、センサーにより検出した対象者の状態を、保護者が所有するスマートフォン等のデータ処理装置において通知する見守りシステムが知られている（例えば、特許文献１参照。）。検出した対象者の動きに合わせて振動する、動くアバター画像を表示する等の通知により、直接見守りができない場合でも、保護者は対象者の状態を容易に確認することができる。
【先行技術文献】
【特許文献】
【０００３】
【特許文献１】特開２０１３−７７１１３号公報
【発明の概要】
【発明が解決しようとする課題】
【０００４】
一方、保護者が対象者の近くにいて、保護者自身が対象者を見守ることができる場合、対象者の状態を通知する必要はなく、度重なる通知がかえって煩わしいこともある。
通知が不要な場合には非通知の設定に切り替えればよいが、対象者から離れるたびに切り替え操作を行うのは煩雑である。
【０００５】
本発明の課題は、通知が必要な場合のみ対象者の状態を通知することである。
【課題を解決するための手段】
【０００６】
本発明によれば、
他のデータ処理装置と通信し、前記他のデータ処理装置が送信するデータを受信する通信手段と、
前記他のデータ処理装置と一定距離以上離れているか否かを判別する制御手段と、
前記制御手段により前記他のデータ処理装置と一定距離以上離れていると判別した場合、前記通信手段により取得した前記データに基づく情報を通知する通知手段と、
を備えることを特徴とするデータ処理装置が提供される。
【発明の効果】
【０００７】
本発明によれば、通知が必要な場合のみ対象者の状態を通知することができる。
【図面の簡単な説明】
【０００８】
【図１】本発明の実施の形態のデータ処理装置を用いた見守りシステムの概要を示す図である。
【図２】本発明の実施の形態のデータ処理装置の主な構成を機能ごとに示すブロック図である。
【図３】対象者の状態を通知するときのデータ処理装置の処理手順を示すフローチャートである。
【図４】センサーデータを送信するときのデータ処理装置の処理手順を示すフローチャートである。
【発明を実施するための形態】
【０００９】
以下、本発明のデータ処理装置、通知方法、データ送信方法及びプログラムの実施の形態について、図面を参照して説明する。
【００１０】
〔第１の実施の形態〕
図１は、本発明の実施の形態のデータ処理装置を、ペット、高齢者等の対象者の見守りシステムに使用した例を示している。
図１に示すように、見守りシステム１００は、データ処理装置１０と、第１の実施の形態のデータ処理装置２０と、を備えて構成されている。
データ処理装置１０及び２０は、無線ＬＡＮ（Local Area Network）１、インターネット２及び移動体通信網３のネットワークを経由して通信することができる。無線ＬＡＮ１は、家庭内無線ＬＡＮであってもよいし、公衆無線ＬＡＮであってもよい。また、データ処理装置１０及び２０は、近距離型の無線通信を行うこともできる。
【００１１】
データ処理装置１０は、ペットの首輪、高齢者の腕等に装着されて対象者の状態を検出し、その検出結果をセンサーデータとして出力する。データ処理装置１０は、ペンダント型、バンド型、ウォッチ型等の対象者が装着しやすい形状とすることができる。
【００１２】
データ処理装置２０は、データ処理装置１０により取得したセンサーデータに基づいて、対象者の状態をデータ処理装置２０のユーザである保護者に通知する。データ処理装置２０としては、例えばスマートフォン、タブレット端末等が挙げられる。
データ処理装置２０は、ユーザに装着されたウェアラブル端末２０ａにセンサーデータを転送することにより、ウェアラブル端末２０ａにおいて対象者の状態を通知することもできる。ウェアラブル端末２０ａは、データ処理装置２０とペアリングするデータ処理装置である。図１に示すウェアラブル端末２０ａはウォッチ型であるが、メガネ型等の他の形状であってもよい。
【００１３】
データ処理装置２０は、移動体通信網３に接続し、移動体通信網３からインターネット２及び無線ＬＡＮ１を経由して、データ処理装置１０からセンサーデータを取得することができる。データ処理装置１０及び２０の両方が無線ＬＡＮ１に接続できる場合は、無線ＬＡＮ１を経由してセンサーデータを取得することができる。
【００１４】
図２は、データ処理装置１０及び２０の主な構成を機能ごとに示している。
図２に示すように、データ処理装置１０は、制御部１１、記憶部１２、取得部１３、第１通信部１４、第２通信部１５及びＧＰＳ（Global Positioning System）モジュール１６を備えている。
【００１５】
制御部１１（制御手段）は、ＣＰＵ（Central Processing Unit）、ＲＡＭ（Random Access Memory）等を備えて構成されている。制御部１１は、記憶部１２に記憶されたプログラムを読み出して実行することにより、データ処理装置１０の各構成部を制御する。
例えば、制御部１１は、データ処理装置２０からセンサーデータの要求を第１通信部１４又は第２通信部１５により受け付けると、取得部１３によりセンサーデータを取得させて、第１通信部１４又は第２通信部１５によりセンサーデータをデータ処理装置２０へ送信させる。
【００１６】
記憶部１２は、制御部１１が読み取り可能なプログラム、プログラムの実行に必要なデータ等を記憶している。
記憶部１２としては、例えばハードディスク、ＥＥＰＲＯＭ（Electrically Erasable Programmable ROM）、フラッシュメモリ等の記憶媒体を用いることができる。
【００１７】
取得部１３（取得手段）は、各種センサーを備え、これらセンサーからセンサーデータを取得する。センサーデータは、センサーが出力したデータであり、対象者の状態を検出した結果を示している。
図２は、対象者の動きを検出するモーションセンサー１３１及び対象者の環境温度を検出する温度センサー１３２の例を示しているが、センサーはこれらに限定されない。検出目的に応じて、圧力センサー等の様々なセンサーを使用することができる。
【００１８】
第１通信部１４（通信手段、近距離型の無線通信手段）は、近距離型の無線通信方式によりＰ２Ｐ（peer to peer）でデータ処理装置２０と通信する。
近距離型の無線通信としては、例えばBluetooth（登録商標）、Zigbee（登録商標）等が挙げられる。
【００１９】
第２通信部１５（通信手段）は、ＷｉＦｉ（Wireless Fidelity）（登録商標）により、無線ＬＡＮ１のアクセスポイントに接続して、無線ＬＡＮ１からインターネット２及び移動体通信網３を経由してデータ処理装置２０と通信する。
なお、第２通信部１５は、通信サービスへの加入により移動体通信網に接続できる場合、無線ＬＡＮ１ではなく、移動体通信網に接続して、この移動体通信網からインターネット２及び移動体通信網３を経由してデータ処理装置２０と通信してもよい。
【００２０】
ＧＰＳモジュール１６は、少なくとも３つのＧＰＳ衛星からＧＰＳ信号を受信し、受信したＧＰＳ信号によりデータ処理装置１０の現在位置を検出する。
【００２１】
データ処理装置２０は、図２に示すように、制御部２１、記憶部２２、操作部２３、表示部２４、スピーカ２５、マイク２６、第１通信部２７、第２通信部２８、ＧＰＳモジュール２９及びバイブレーションモータ３０を備えている。
【００２２】
制御部２１は、ＣＰＵ、ＲＡＭ等を備えて構成されている。制御部２１は、記憶部２２に記憶されたプログラムを読み出して実行することにより、データ処理装置２０の各構成部を制御する。
【００２３】
制御部２１（制御手段）は、他のデータ処理装置１０と一定距離以上離れているか否かを判別し、一定距離以上離れていると判別した場合、第１通信部２７又は第２通信部２８により他のデータ処理装置１０からセンサーデータを取得させる。
【００２４】
記憶部２２は、制御部２１が読み取り可能なプログラム、プログラムの実行に必要なデータ等を記憶している。
記憶部２２としては、例えばハードディスク、ＥＥＰＲＯＭ、フラッシュメモリ等の記憶媒体を用いることができる。
【００２５】
操作部２３は、ユーザの操作に応じた操作信号を生成し、制御部２１に出力する。操作部２３としては、キーパッド、表示部２４と一体に構成されたタッチパネル等を用いることができる。
【００２６】
表示部２４は、制御部２１の指示にしたがって操作画面等を表示する。表示部２４としては、ＬＣＤ（Liquid Crystal Display）、ＯＥＬＤ（Organic Electro Luminescence Display）等を用いることができる。
表示部２４（通知手段）は、センサーデータに基づいて、対象者の状態を通知するための表示を行うことができる。
【００２７】
スピーカ２５は、第２通信部２８により出力された音声データに基づいて通話音声を出力する。
また、スピーカ２５（通知手段）は、センサーデータに基づいて、対象者の状態を通知するための音出力を行うことができる。
マイク２６は、通話音声等の音を入力する。
【００２８】
第１通信部２７（通信手段、近距離型の無線通信手段）は、他のデータ処理装置１０と同じ近距離型の無線通信方式によりデータ処理装置１０と通信する。
【００２９】
第２通信部２８（通信手段）は、移動体通信網３に接続して他のデータ処理装置１０と無線通信する。
具体的には、第２通信部２８は、アンテナを介して受信した通話音声、テキスト、画像、センサーデータ等の電波を復調処理して、得られたデータを出力する。また、第２通信部２８は、送信するデータ、例えばマイク２６により入力した通話音声や操作部２３により入力したテキスト、制御部２１からの指示情報等のデータを変調処理して得られた電波を、アンテナを介して移動体通信網３上の基地局に送信する。
第２通信部２８は、ＷｉＦｉ（登録商標）により、無線ＬＡＮ１のアクセスポイントに接続し、無線ＬＡＮ１経由で他のデータ処理装置２０と通信することもできる。
【００３０】
ＧＰＳモジュール１６は、少なくとも３つのＧＰＳ衛星からＧＰＳ信号を受信し、受信したＧＰＳ信号によりデータ処理装置２０の現在位置を検出する。
【００３１】
バイブレーションモータ３０は、回転軸に取り付けたウェイトの加振力により、振動を発生させる。
バイブレーションモータ３０（通知手段）は、センサーデータに基づいて振動を発生させることにより、対象者の状態を通知することができる。
【００３２】
図３は、対象者の状態を通知するときのデータ処理装置２０の処理手順を示している。
図３に示すように、データ処理装置２０では、制御部２１がデータ処理装置１０と一定距離以上離れているか否かを判別する（ステップＳ１）。
【００３３】
制御部２１は、一定距離以上離れているかどうかを、例えば近距離型の無線通信を行う第１通信部２７によりデータ処理装置１０の第１通信部１４と通信可能か否かによって判別することができる。例えば、Bluetooth（登録商標）の場合、通信有効範囲が約１０ｍであるクラス２では、第１通信部２７と第１通信部１４が通信できなければ、データ処理装置１０とデータ処理装置２０は約１０ｍ以上離れていると判別できる。
【００３４】
また、制御部２１は、一定距離以上離れているかどうかを、第２通信部２８によりデータ処理装置１０と同じ無線ＬＡＮ１に接続しているか否かによって判別することもできる。例えば、アドホックモードにより第２通信部２８とデータ処理装置１０の第２通信部１５の通信を確立できなければ、データ処理装置１０とデータ処理装置２０は無線ＬＡＮ１の通信有効範囲の距離以上離れていると判別できる。無線ＬＡＮ１が家庭内無線ＬＡＮであり、通信有効範囲が約１５ｍである場合、第２通信部２８と第２通信部１５が同じ無線ＬＡＮ１に接続していなければ、データ処理装置１０とデータ処理装置２０は約１５ｍ以上離れていると判別できる。
【００３５】
また、制御部２１は、データ処理装置１０とデータ処理装置２０の現在位置から、各データ処理装置１０及び２０が一定距離以上離れているか否かを判別することもできる。
具体的には、制御部２１は、ＧＰＳモジュール２９により検出したデータ処理装置２０の現在位置を取得し、同様にしてＧＰＳモジュール１６により検出したデータ処理装置１０の現在位置を、第１通信部２７又は第２通信部２８によりデータ処理装置１０から取得する。制御部２１は、取得した両者の現在位置間の距離を計算して、計測した距離がユーザによりあらかじめ設定された、非通知にする場合の一定距離以上であるか否かを判別する。
【００３６】
データ処理装置１０と一定距離以上離れている場合（ステップＳ１：Ｙ）、制御部２１はデータ処理装置１０にセンサーデータを送信するよう、要求する。第１通信部２７及び第２通信部２８のうち、データ処理装置１０と通信可能な方がその要求をデータ処理装置１０に送信する。そして、第１通信部２７及び第２通信部２８によりデータ処理装置１０からセンサーデータを受信すると（ステップＳ２）、バイブレーションモータ３０が受信したセンサーデータに基づいて振動を発生させることにより、データ処理装置１０において検出した対象者の状態を通知する（ステップＳ３）。
【００３７】
例えば、センサーデータが対象者の動きの検出結果を示す場合、モーションセンサー１３１により検出した対象者の動きのセンサーデータに基づいて、バイブレーションモータ３０が動きの大きさに合わせた振動を発生させることができる。また、動きに合わせて、スピーカ２５によりペットの鳴き声やメッセージ音声等のあらかじめ登録された音を出力することができる。
また、表示部２４が、その動きに応じて歩く、手を挙げる等の対象者のアバター画像を表示することができる。表示部２４は、温度センサー１３２により検出した環境温度のセンサーデータに基づいて、環境温度を表示することもできる。
【００３８】
一方、データ処理装置１０と一定距離以上離れていない場合（ステップＳ１：Ｎ）、上述したセンサーデータの取得及び対象者の状態の通知を停止して、本処理を終了する。
【００３９】
データ処理装置２０は、上記処理手順を一定間隔で実行してもよい。この場合、データ処理装置１０と一定距離以上離れているか否かを一定間隔で判別し、離れていると判別した場合のみセンサーデータを取得して対象者の状態を通知することになる。
また、データ処理装置２０の要求に応じてデータ処理装置１０がセンサーデータを送信するのではなく、データ処理装置１０が一定間隔でセンサーデータをデータ処理装置２０に送信し、データ処理装置２０ではセンサーデータを受信したときに上記処理手順を実行するようにしてもよい。この場合、センサーデータを受信してはいるが、一定距離以上離れていると判別した場合のみ通知を行うことになる。
【００４０】
以上のように、第１の実施の形態のデータ処理装置２０は、対象者の状態を検出して、その検出結果であるセンサーデータを取得する他のデータ処理装置１０と通信し、センサーデータを受信する第１通信部２７又は第２通信部２８と、他のデータ処理装置１０と一定距離以上離れているか否かを判別する制御部２１と、制御部２１により他のデータ処理装置１０と一定距離以上離れていると判別した場合、第１通信部２７又は第２通信部２８により取得したセンサーデータに基づいて、対象者の状態を通知するバイブレーションモータ３０、表示部２４、スピーカ２５等と、を備えている。
【００４１】
これにより、対象者の状態の通知を、データ処理装置２０のユーザとデータ処理装置１０により状態を検出する対象者とが一定距離以上離れている場合に制限することができる。ユーザが対象者の近くにいて、ユーザ自身が対象者の状態を観察できる場合にも通知されるという煩わしさを容易に解消することができる。
また、一定距離以上離れているか否かによって、通知又は非通知が自動的に切り替えられるため、ユーザが逐一切り替え操作する煩わしさも解消することができる。
【００４２】
上記第１の実施の形態において、バイブレーションモータ３０、表示部２４、スピーカ２５等は、制御部２１により他のデータ処理装置１０と一定距離以上離れていないと判別した場合、対象者の状態の通知を停止する。
これにより、対象者とユーザが一定距離以上離れていない間は、対象者の状態の非通知の状態を維持できる。
【００４３】
また、データ処理装置２０は、近距離型の無線通信を行う第１通信部２８を備え、制御部２１は、第１通信部２８により他のデータ処理装置１０と近距離型の無線通信が可能な否かによって、他のデータ処理装置１０と一定距離以上離れているか否かを判別することができる。
これにより、対象者とユーザがともに近距離型の無線通信の通信有効範囲内に位置する場合に非通知に切り替えることができる。
【００４４】
また、第２通信部２８は、他のデータ処理装置１０と、無線ＬＡＮ１、インターネット２、移動体通信網３等のネットワークを経由して通信する。
これにより、ネットワークを経由してセンサーデータを受信することができる。
【００４５】
なお、第１の実施の形態では、データ処理装置２０としては、例えばスマートフォン、タブレット端末等として説明したが、ウェアラブル端末２０ａがデータ処理装置２０の機能を備え、スマートフォン、タブレット端末等を介さずに、ウェアラブル端末２０ａが直接、上記データ処理装置２０の処理を実施してもよい。
【００４６】
〔第２の実施の形態〕
上記データ処理装置１０からデータ処理装置２０へのセンサーデータの送信を、データ処理装置２０と一定距離以．上離れている場合に限定することによっても、対象者の状態を通知する場合を制限できる。
この通知制御は、上記データ処理装置１０が下記処理手順を実行し、上記データ処理装置２０がデータ処理装置１０からセンサーデータが送信されたら対象者の状態を通知することにより、実現することができる。
【００４７】
図４は、対象者の状態を通知するときのデータ処理装置１０の処理手順を示している。
図４に示すように、データ処理装置１０では、制御部１１（制御手段）がデータ処理装置２０と一定距離以上離れているか否かを判別する（ステップＳ２１）。この判別は、上述した判別方法と同様にして行うことができるので、詳細な説明を省略する。
【００４８】
データ処理装置２０と一定距離以上離れている場合（ステップＳ２１：Ｙ）、取得部１３（取得手段）は各種センサーからセンサーデータを取得する。この取得部１３により取得したセンサーデータを、第１通信部１４及び第２通信部１５（通信手段）のうちの通信可能な方がデータ処理装置２０に送信する（ステップＳ２２）。
一方、データ処理装置２０と一定距離以上離れていない場合（ステップＳ２１：Ｎ）、センサーデータの取得及び送信を停止して、本処理を終了する。
【００４９】
データ処理装置１０は、上記処理手順を一定間隔で実行することができる。この場合、制御部１１は、他のデータ処理装置２０と一定距離以上離れているか否かを一定間隔で判別し、離れていると判別した場合のみ、取得部１３によるセンサーデータの取得及び第１通信部１４又は第２通信部１５によるセンサーデータの送信を行う。
また、取得部１３がセンサーデータを一定間隔で取得し、第１通信部１４又は第２通信部１５は、取得部１３によりセンサーデータを取得したときに上記処理手順を実行してもよい。この場合、センサーデータを取得し、かつ制御部１１により一定距離以上離れていると判別した場合に、センサーデータの送信を行う。
これにより、ポーリング方式でセンサーデータの送信を行うことができる。
【００５０】
また、取得部１３は、モーションセンサー１３１により対象者の動きを検出し、第１通信部１４又は第２通信部１５は、取得部１３により対象者の動きを検出したときに上記処理手順を実行してもよい。この場合、取得部１３が動きを検出し、かつ制御部１１により他のデータ処理装置２０と一定距離以上離れていると判別した場合に、センサーデータの送信を行うことができる。
これにより、対象者の動きがある場合のみ、割り込み方式でセンサーデータの送信を行うことができる。
なお、通常は前者のポーリング方式でセンサーデータの送信を行い、取得部１３により動きを検出したときに、後者の割り込み方式でセンサーデータの送信を行うようにしてもよい。
【００５１】
以上のように、第２の実施の形態のデータ処理装置１０は、対象者の状態を検出して、その検出結果であるセンサーデータを取得する取得部１３と、他のデータ処理装置２０と通信する第１通信部１４又は第２通信部１５と、他のデータ処理装置２０と一定距離以上離れているか否かを判別する制御部１１と、を備え、第１通信部１４又は第２通信部１５は、制御部１１により他のデータ処理装置２０と一定距離以上離れていると判別した場合、取得部１３により取得したセンサーデータを他のデータ処理装置２０に送信する。
【００５２】
これにより、データ処理装置２０のユーザとデータ処理装置１０により状態を検出する対象者とが一定距離以上離れている場合のみ、データ処理装置１０からデータ処理装置２０へのセンサーデータの送信することができる。データ処理装置２０は、センサーデータが送信されると対象者の状態を通知するので、対象者の状態の通知をユーザと対象者とが一定距離以上離れている場合に制限することができる。ユーザが対象者の近くにいて、ユーザ自身が対象者の状態を観察できる場合にも通知されるという煩わしさを容易に解消することができる。
また、一定距離以上離れているか否かによって、通知又は非通知が自動的に切り替えられるため、ユーザが逐一切り替え操作する煩わしさも解消することができる。
【００５３】
上記第２の実施の形態において、データ処理装置１０の第１通信部１４又は第２通信部１５は、制御部１１により他のデータ処理装置２０と一定距離以上離れていないと判別した場合、他のデータ処理装置２０へのセンサーデータの送信を停止する。
これにより、対象者とユーザが一定距離以上離れていない間は、データ処理装置２０における対象者の状態の非通知の状態を維持できる。
【００５４】
また、データ処理装置１０は、近距離型の無線通信を行う第１通信部１４を備え、制御部１１は、第１通信部１４により他のデータ処理装置２０と近距離型の無線通信が可能な否かによって、他のデータ処理装置２０と一定距離以上離れているか否かを判別することができる。
これにより、対象者とユーザがともに近距離型の無線通信の通信有効範囲内に位置する場合に非通知に切り替えることができる。
【００５５】
また、第２通信部１５は、他のデータ処理装置２０と、無線ＬＡＮ１、インターネット２、移動体通信網３等のネットワークを経由して通信する。
これにより、ネットワークを経由してセンサーデータを受信することができる。
【００５６】
上記第１及び第２の実施の形態では、データ処理装置１０の取得部１３が、センサーから出力されたセンサーデータを対象物の状態を示すデータとして取得していたが、例えば、対象物が高齢者であり、データ処理装置１０に備わる図示しない操作ボタンを押せる場合は、当該ボタンが押されたことを示すデータを、高齢者（対象物）の状態を示すデータ（例えば、高齢者に異常が発生した）として取得部１３が取得してもよい。
【００５７】
さらに、上記第１及び第２の実施の形態では、ペット等の見守りシステムに利用したデータ処理装置１０及び２０の例を示したが、例えば、自宅に温度、湿度、圧力等の環境や侵入者の有無等を検出するデータ処理装置１０を設置し、遠隔地のデータ処理装置２０で自宅の様子を監視する監視システム等にも同様にして使用することができる。
【００５８】
本発明のいくつかの実施の形態を説明したが、本発明の範囲は上記実施の形態に限定されず、特許請求の範囲に記載した発明の範囲と当該範囲と均等の範囲を含む。
以下、この出願の願書に最初に添付した特許請求の範囲に記載した発明を付記する。下記付記における各請求項の番号は、この出願の願書に最初に添付した特許請求の範囲のとおりである。
【００５９】
＜付記＞
〔請求項１〕
他のデータ処理装置と通信し、前記他のデータ処理装置が送信するデータを受信する通信手段と、
前記他のデータ処理装置と一定距離以上離れているか否かを判別する制御手段と、
前記制御手段により前記他のデータ処理装置と一定距離以上離れていると判別した場合、前記通信手段により取得した前記データに基づく情報を通知する通知手段と、
を備えることを特徴とするデータ処理装置。
〔請求項２〕
前記通知手段は、前記制御手段により前記他のデータ処理装置と一定距離以上離れていないと判別した場合、前記データに基づく情報の通知を停止することを特徴とする請求項１に記載のデータ処理装置。
〔請求項３〕
前記他のデータ処理装置が送信するデータは、対象物の状態を示すデータであり、
前記通知手段は、前記対象物の状態を示すデータに基づいて、前記対象物の状態を通知することを特徴とする請求項１又は２に記載のデータ処理装置。
〔請求項４〕
対象物の状態を示すデータを取得する取得手段と、
他のデータ処理装置と通信する通信手段と、
前記他のデータ処理装置と一定距離以上離れているか否かを判別する制御手段と、を備え、
前記通信手段は、前記制御手段により前記他のデータ処理装置と一定距離以上離れていると判別した場合、前記取得手段により取得した前記対象物の状態を示すデータを前記他のデータ処理装置に送信することを特徴とするデータ処理装置。
〔請求項５〕
前記通信手段は、前記制御手段により前記他のデータ処理装置と一定距離以上離れていないと判別した場合、前記他のデータ処理装置への前記対象物の状態を示すデータの送信を停止することを特徴とする請求項４に記載のデータ処理装置。
〔請求項６〕
前記取得手段は、前記対象物の状態を検出して、その検出結果であるセンサーデータを前記対象物の状態を示すデータとして取得することを特徴とする請求項４又は５に記載のデータ処理装置。
〔請求項７〕
前記取得手段は、前記センサーデータを一定間隔で取得し、
前記通信手段は、前記取得手段により前記センサーデータを取得し、かつ前記制御手段により前記他のデータ処理装置と一定距離以上離れていると判別した場合に、前記センサーデータの送信を行うことを特徴とする請求項６に記載のデータ処理装置。
〔請求項８〕
前記取得手段は、前記対象物の動きを検出し、
前記通信手段は、前記取得手段により前記対象物の動きを検出し、かつ前記制御手段により前記他のデータ処理装置と一定距離以上離れていると判別した場合に、前記センサーデータの送信を行うことを特徴とする請求項６又は７に記載のデータ処理装置。
〔請求項９〕
近距離型の無線通信手段を備え、
前記制御手段は、前記無線通信手段により前記他のデータ処理装置と近距離型の無線通信が可能な否かによって、前記他のデータ処理装置と一定距離以上離れているか否かを判別することを特徴とする請求項１〜８のいずれか一項に記載のデータ処理装置。
〔請求項１０〕
前記通信手段は、前記他のデータ処理装置と、ネットワークを経由して通信することを特徴とする請求項１〜９のいずれか一項に記載のデータ処理装置。
〔請求項１１〕
他のデータ処理装置と通信し、前記他のデータ処理装置が送信するデータを受信するステップと、
前記他のデータ処理装置と一定距離以上離れているか否かを判別するステップと、
前記他のデータ処理装置と一定距離以上離れていると判別した場合、受信した前記データに基づく情報を通知するステップと、
を含むことを特徴とする通知方法。
〔請求項１２〕
対象物の状態を示すデータを取得するステップと、
他のデータ処理装置と一定距離以上離れているか否かを判別するステップと、
前記他のデータ処理装置と一定距離以上離れていると判別した場合、取得した前記対象物の状態を示すデータを前記他のデータ処理装置に送信するステップと、
を含むことを特徴とするデータ送信方法。
〔請求項１３〕
コンピュータに、
他のデータ処理装置と通信し、前記他のデータ処理装置が送信するデータを受信するステップと、
前記他のデータ処理装置と一定距離以上離れているか否かを判別するステップと、
前記他のデータ処理装置と一定距離以上離れていると判別した場合、受信した前記データに基づく情報を通知するステップと、
を実行させるためのプログラム。
〔請求項１４〕
コンピュータに、
対象物の状態を示すデータを取得するステップと、
他のデータ処理装置と一定距離以上離れているか否かを判別するステップと、
前記他のデータ処理装置と一定距離以上離れていると判別した場合、取得した前記対象物の状態を示すデータを前記他のデータ処理装置に送信するステップと、
を実行させるためのプログラム。
【符号の説明】
【００６０】
１０    データ処理装置
１１    制御部
１２    記憶部
１３    取得部
１４    第１通信部
１５    第２通信部
１６    ＧＰＳモジュール
２０    データ処理装置
２１    制御部
２２    記憶部
２４    表示部
２５    スピーカ
２７    第１通信部
２８    第２通信部
２９    ＧＰＳモジュール
３０    バイブレーションモータ
【図１】
2017049909.tif 000003
【図２】
2017049909.tif 000004
【図３】
2017049909.tif 000005
【図４】
2017049909.tif 000006